(57)【要約】【課題】ミラーが組み込まれるボディーに、ターンランプを組み込んでなる車両用ランプを構成するにあたり、前記ターンランプを大型化させることがないように構成する。【解決手段】ターンランプ２を、長尺中実状に形成された導光体４ａの長尺方向一端部に第一発光ダイオード６を照射して、光が長尺状に放射するよう構成したものにおいて、前記導光体４ａを、長尺方向湾曲状に形成し、該湾曲部の内側に係止爪４ｇからなる係止部を一体形成し、該係止爪４ｇにより、第一、第二、第三発光ダイオード６、７、８が接続する基板９が支持される構成とする。【選択図】図３
2008226572.tif 000002
【特許請求の範囲】
【請求項１】
ミラーが組み込まれるボディーに、ターンランプを組み込んでなる車両用ランプにおいて、前記ターンランプを、長尺中実状に形成された導光体の長尺方向一端部に光源を照射して、光を長尺状に放射するよう構成したものにおいて、前記導光体を、長尺方向湾曲状に形成するとともに、該湾曲部の内側に係止手段を一体形成し、該係止手段により光源の基板を支持するように構成した車両用ランプ。
【請求項２】
導光体は、光源が入光して光を放射する導光部と、該導光部の延出方向に直交する方向に延出し、光遮断手段が設けられたフランジ部とが一体に形成されるものとし、該フランジ部により基板を覆蓋するように構成した請求項１に記載の車両用ランプ。
【発明の詳細な説明】
【技術分野】
【０００１】
本発明は、自動車等の車両に設けられる車両用ランプの技術分野に属するものである。
【背景技術】
【０００２】
一般に、この種車両用ランプのなかには、車両のドアに設けられるドアミラーにターンランプ（方向指示器）を一体に取り付けて、車両の前後に単独で設けられるターンランプとともに点灯させることにより、周囲の人に対して一層強くアピールするようにしたものが知られている。このようなもののなかには、ターンランプを、発光ダイオードを用いて点灯するように構成したものが提唱されている。
【０００３】
このように、ターンランプを発光ダイオードにより点灯する場合、発光ダイオードに外部電源を供給するために基板を設けることになるが、基板は、例えば、特許文献１、２のように、発光ダイオードと基板とが一緒に設けられるのが一般的である。
【特許文献１】特開２００２−７９８８５５号公報
【特許文献２】特開２００４−００１７１０号公報
【発明の開示】
【発明が解決しようとする課題】
【０００４】
ところで、前記従来のものは、発光ダイオードを、最適な配設箇所に基板とともに配設する構成となっているので、発光ダイオードと基板との両者を配設することができるだけのスペースが必要となり、設計の自由度が低下するばかりでなく、ターンランプのボディが大型化してしまうという問題がある。さらには、発光ダイオードは指向性が強く、特許文献２のように、長尺方向の導光部の長尺方向一端側に発光ダイオードを設けて、導光部から長尺状の光を放射するように構成する場合では、発光ダイオードの取り付け状態が導光部の一端部に限定されるため、発光ダイオードと基板との両者を配設するスペースを確保するのが一層難しくなって、ボディーの大型化の要因になることが想定される。しかも、ターンランプは、前述したようにドアミラーに組み込まれるものであるが故に、ターンランプのボディーの大型化がドアミラーの大型化を招来することになって問題があり、これらに本発明の解決すべき課題がある。
【課題を解決するための手段】
【０００５】
本発明は、上記の如き実情に鑑みこれらの課題を解決することを目的として創作されたものであって、請求項１の発明は、ミラーが組み込まれるボディーに、ターンランプを組み込んでなる車両用ランプにおいて、前記ターンランプを、長尺中実状に形成された導光体の長尺方向一端部に光源を照射して、光を長尺状に放射するよう構成したものにおいて、前記導光体を、長尺方向湾曲状に形成するとともに、該湾曲部の内側に係止手段を一体形成し、該係止手段により光源の基板を支持するように構成した車両用ランプである。
請求項２の発明は、導光体は、光源が入光して光を放射する導光部と、該導光部の延出方向に直交する方向に延出し、光遮断手段が設けられたフランジ部とが一体に形成されるものとし、該フランジ部により基板を覆蓋するように構成した請求項１に記載の車両用ランプである。
【発明の効果】
【０００６】
請求項１の発明とすることにより、発光ダイオードを配設する際の設計の自由度を高められるうえ、スペースの有効利用ができて、ドアミラーの大型化を防止でき、そのうえ、基板の固定構成を簡略化できる。
請求項２の発明とすることにより、導光体からの放射を効率よくできるうえ、基板が外部から見えることがなく意匠性の高いものにできる。
【発明を実施するための最良の形態】
【０００７】
つぎに、本発明の実施の形態について、図面に基づいて説明する。
図面において、１は車両のドアに設けられるドアミラーであって、該ドアミラー１を構成するボディー１ａの後方（車両後方）に面する部位（図示せず）には開口部が形成され、該開口部に、後方確認用のミラー（図示せず）が位置調整自在に嵌め込まれている。前記ボディー１ａの前方に面する部位は前方に膨出する形状に形成されており、該膨出部における下方部位に、本発明が実施されたターンランプ２が一体的に組み込まれている。
【０００８】
尚、ドアミラー１は左右対称状のものが車両の左右ドア体に設けられるが、ここでは、図１に示す車両右側に設けられるドアミラー１についての説明をし、左側のドアミラー１の説明については省略する。
前記ドアミラー１に組み込まれるターンランプ２は、ボディー１ａの前方膨出部の下方部位に一つのアッシーとしてボディー１ａに組み込まれるように設定されている。そしてターンランプ２は、ボディー１ａの内側に収容されるベースハウジング３とインナーハウジング４、さらには、インナーハウジング４の前方部位を覆蓋し、ボディー１ａ外周面とともに外部に露出するレンズ部５とを備えて構成されている。
【０００９】
前記ベースハウジング３は、非透光性樹脂材により一体型成形されており、ドアミラーボディー１ａの下方部位に内装されるべく、左右方向長尺状体の右端部位が後方に折曲する形状に形成されており、前方部位から右方部位が開口する凹部３ａに形成されている。そして、該凹部３ａの前方からインナーハウジング４が組み込まれることにより凹部３ａが塞がれるように設定されている。
尚、ベースハウジング３の凹部３ａを構成する底片３ｂは、平板状に形成されており、右端部位において第一、第二段差部３ｃ、３ｄを形成することにより、右端部が後方に折曲するように設定されている。
【００１０】
一方、前記インナーハウジング４は、透光性樹脂材を用いて一体型成形されており、左右方向長尺状の湾曲形状となっている。そして、インナーハウジング４は、ベースハウジング３の前方が開口する部位に対向し、左端側から右方に延出する円柱状の導光体４ａが形成されており、該導光体４ａの上下縁部から上下方向に向けて上下一対のフランジ体４ｂ、４ｃが一体的に延出形成されている。さらに、インナーハウジング４の右端部であって、車体の左右方向外方に位置するとともに、ベースハウジング３の右方の開口部位に対向する部位には、導光体４ａとフランジ体４ｂ、４ｃとの右端縁から延出する状態でインナーレンズ体４ｄが一体形成されている。そして、インナーハウジング４をベースハウジング３に内装したとき、凹部底片３ｂとインナーハウジング４とのあいだに空隙部が形成されるが、特に、導光体４ａの左右方向中間部と底片３ｂとの間には、導光体４ａが湾曲形状であるのに対し底片３ｂが平板状であるが故に、大きな空隙部Ｓが形成されるように設定されている。
【００１１】
また、６、７、８はターンランプ２の光源となる第一、第二、第三発光ダイオードであって、これら各発光ダイオード６、７、８は、何れのものも汎用のものが用いられている。そして、これら第一、第二、第三発光ダイオード６、７、８は、ベースハウジング底片３ｂに立設された支持体３ｅによりそれぞれ固定支持されるように設定されている。このとき、第一発光ダイオード６は、インナーハウジング４の導光体４ａの一方の端部、即ち、インナーレンズ体４ｄが形成されない側の端部に対向するべく、底片３ｂの一端側に配された支持体３ｅに固定支持されており、第一発光ダイオード６の点灯により、導光体４ａが長尺状の光を放射するように設定されている。また、第二、第三発光ダイオード７、８は、前記第一発光ダイオード６とは長尺方向反対側の端部に位置するインナーハウジング４のインナーレンズ体４ｄを照射するように設けられるが、第二発光ダイオード７は第一、第二段差部３ｃ、３ｄの間の傾斜片３ｆに配された支持体３ｅに、第三発光ダイオード８は第二段差部３ｄに配された支持体３ｅにそれぞれ固定支持されており、第二、第三発光ダイオード７、８を点灯することによりインナーレンズ体４ｄからの光の放射方向が異なるように設定されており、これによって、少ない光源でインナーレンズ体４ｄからの光が広範に亘って放射できるように構成されている。
【００１２】
さらに、前記インナーハウジング４は、導光体４ａの内側、即ち、導光体４ａのベースハウジング３側の面に、発光ダイオード６、７、８が電気的に接続される基板９を係止するための係止手段が設けられている。前記係止手段は、本実施の形態では、ベースハウジング３に向けて突出する長尺方向一対の基部４ｅと、該基部４ｅの突出先端部に形成される爪部４ｆとで構成される係止爪４ｇにより構成されている。そして、基板９を爪部４ｆ先端同士のあいだにセットし、基板９を基部４ｅ側に押しやることにより、基部４ｅが弾性変形して拡開し、基板９が爪部４ｆを乗り越えて基部４ｅ同士のあいだに挟持され、爪部４ｆにより抜け止めされた状態に固定支持されるように設定されている。
【００１３】
そして、ベースハウジング３に第一、第二、第三発光ダイオード６、７、８を固定し、ベースハウジング３の凹部３ａにインナーハウジング４を組み込むとともに、前記第一、第二、第三発光ダイオード６、７、８がリード線等の接続部材を用いて接続された基板９をインナーハウジング４の係止爪４ｇに係止させ、レンズ部５によりインナーハウジング４の前方を覆うことでターンランプ２を形成し、該形成された（ユニット化された）ターンランプ２がドアミラー１のボディ１ａに組み込まれるように設定されている。
【００１４】
このとき、インナーハウジング４に固定された基板９は、平板状に形成された凹部底片３ｂと湾曲形状の導光体４ａとの間に形成された前記大きな空隙部Ｓに位置するように設定されており、これによって、基板９用の特別なスペースを確保することなく、空いたスペースを有効利用して基板９を設けることができ、ターンランプ２、さらには、ドアミラー１を大型化することがないようように構成されている。
しかも、インナーハウジング４の内側面となるベースハウジング３側の面は例えばしぼ加工を施すことにより非平滑面に形成されている。これによって、第一、第二、第三発光ダイオード６、７、８が照射される導光体４ａとインナーレンズ体４ｄにおいては乱反射がなされて、導光体４ａとインナーレンズ体４ｄに入光した光を乱反射して放射することができて視認性を高めることができる。そのうえ、上下のフランジ体４ｂ、４ｃにおいては光遮断手段として機能して、導光体４ａからの放射を効率よく行うことができるうえ、レンズ５側からインナーハウジング４の後方を臨むことができず、もって、インナーハウジング４の後方に固定支持された基板９が外部から見えることがなく、意匠性の高いターンランプ２となるように構成されている。
尚、インナーハウジングは、導光体とインナーレンズ体とを透光性樹脂材、フランジ体を非透光性樹脂材とする二色成形による一体成形とし、導光体とインナーレンズ体との後面を非平滑面に形成する構成としてもよく、この場合でも、フランジ体により基板を覆って、外部から見えないようにする効果を得ることができる。
【００１５】
叙述の如く構成された本形態において、ドアミラー１に組み込まれたターンランプ２は、車両の前方部位において、インナーハウジング４に一体形成された導光体４ａにより左右方向長尺状に光が放射されて、車両の前方からの視認性が高められるとともに、意匠性に優れたターンランプ２となる。そして、この場合に、第一、第二、第三発光ダイオード６、７、８は、インナーハウジング４の長尺方向両端部に分散した状態で配設されることになるが、第一、第二、第三発光ダイオード６、７、８はリード線等の接続部材を介して基板９に接続され、該基板９を、湾曲状の導光体４ａおよび上下フランジ体４ｂ、４ｃと平板状のベースハウジング底片３ｂとの間に形成される隙間に配設した。この結果、第一、第二、第三発光ダイオード６、７、８の配設スペースを殊更大きく確保する必要がなくなって、第一、第二、第三発光ダイオード６、７、８の配設箇所を設定する場合の設計の自由度を高めることができるうえ、基板９を空いたスペースを活用して設けることができて、ターンランプ２の大型化を防止でき、もって、ドアミラー１の大型化を招来するような不具合をなくすことができる。
しかも、このものでは、インナーハウジング４の内側に設けた係止爪４ｇにより基板９を固定支持する構成としたので、係止手段を別途形成したり、該係止手段をインナーハウジング４に設ける作業が不要となって、係止手段を簡単、かつ、容易に形成することができる。そのうえ、基板９の係止手段への係止は、基板９を係止爪４ｇに押し込むだけの作業でよく、基板９の固定作業を簡単、かつ、容易にすることができる。
【００１６】
そのうえ、このものでは、インナーハウジング４にフランジ体４ｂ、４ｃが形成され、これらフランジ体４ｂ、４ｄに光遮断手段を設けることで導光体４ａからの放射が効率よく行えるとともに、フランジ体４ｂ、４ｃの後方に位置する基板９を覆うことができて、意匠性が一層優れたラーンランプ２とすることができる。
【図面の簡単な説明】
【００１７】
【図１】ドアミラーの全体斜視図である。
【図２】ターンランプからレンズ部を取り外した状態を説明する斜視図である。
【図３】ターンランプの横断面図である。
【符号の説明】
【００１８】
１    ドアミラー
１ａ    ボディー
２    ターンランプ
３    ベースハウジング
４    インナーハウジング
４ａ    導光体
４ｂ    フランジ体
４ｄ    フレーム部
４ｅ    基部
４ｆ    爪部
４ｇ    係止爪
５    レンズ部
６    第一発光ダイオード
９    基板
【図１】
2008226572.tif 000003
【図２】
2008226572.tif 000004
【図３】
2008226572.tif 000005